(57)【要約】      （修正有）【課題】従来にない非常に実用的な穀類収納ケースを提供する。【解決手段】上面部に穀類投入部を有し且つ前面部に穀類取出部を有する箱形ケース体１と、穀類投入部を閉塞する蓋体２とから成る穀類収納ケースであって、箱形ケース体１は、箱形ケース体１内の上方所定位置に下方へ向けて設けられ箱形ケース体１内に下方で連通する前室と後室が形成されるように仕切る仕切り部３と、箱形ケース体１内の下方に設けられ穀類取出部へ向けて下り傾斜する傾斜底板部６とを有して、穀類投入部から後室へ投入された穀類が仕切り部３と傾斜底板部６を介して前室へ誘導されて、この前室の穀類を穀類取出部から取り出し可能に構成されたものである。【選択図】図１
2018061707.tif 000002
【特許請求の範囲】
【請求項１】
上面部に穀類投入部を有し且つ前面部に穀類取出部を有する箱形ケース体と、前記穀類投入部を閉塞する蓋体とから成る穀類収納ケースであって、前記箱形ケース体は、該箱形ケース体内の上方所定位置に下方へ向けて設けられ前記箱形ケース体内に下方で連通する前室と後室が形成されるように仕切る仕切り部と、前記箱形ケース体内の下方に設けられ前記穀類取出部へ向けて下り傾斜する傾斜底板部とを有して、前記穀類投入部から前記後室へ投入された穀類が前記仕切り部と前記傾斜底板部を介して前記前室へ誘導されて、この前室の穀類を前記穀類取出部から取り出し可能に構成されており、前記仕切り部は、前記箱形ケース体の左側壁と右側壁との間に着脱自在に架設される板状体で構成され、前記傾斜底板部も、前記箱形ケース体の前記左側壁部と前記右側壁部との間に着脱自在に架設される板状体で構成されるとともに、底壁と後壁との間に傾斜状態に架設される構成とされ、前記傾斜底板部の取付状態において、前記箱形ケース体の内底後方部位には、左側壁，右側壁，底壁，後壁及び傾斜底板部で囲まれた収納空間が形成される構成とされており、前記仕切り部及び前記傾斜底板部を取り外すことで大収納容体となるように構成されていることを特徴とする穀類収納ケース。
【請求項２】
前記箱形ケース体は、上面部に開口する穀類投入部を有し且つ該穀類投入部に連設され前面部に開口する穀類取出部を有する構成であり、前記蓋体は、前記穀類投入部を閉塞する上蓋部を有し且つ該上蓋部に回動自在に枢着連結され前記穀類取出部を閉塞する前蓋部とを有する構成であることを特徴とする請求項１記載の穀類収納ケース。
【請求項３】
前記仕切り部は、前記箱形ケース体内の上方所定位置に後方へ向けて下り傾斜状に設けられていることを特徴とする請求項１，２のいずれか１項に記載の穀類収納ケース。
【請求項４】
前記仕切り部及び前記傾斜底板部は取り外し状態において折り畳み自在に設けられていることを特徴とする請求項１〜３のいずれか１項に記載の穀類収納ケース。
【発明の詳細な説明】
【技術分野】
【０００１】
本発明は、穀類収納ケースに関するものである。
【背景技術】
【０００２】
従来から、例えば特開２００２−２０９７７０に開示されるような簡易式の穀類収納ケース（以下、従来例）が提案されている。
【０００３】
この従来例は、上面が開口した容器本体とその上面を開閉する蓋部材などから構成されるもので、この容器本体内の粉粒物をカップ等で掬い出す粉粒物ストッカーであって、容器本体の内部にその底面から側面に渡って全体がほぼ円弧状に延びる底浚い溝を形成し、この底浚い溝の底頂部は底面より低い位置に設けられたものである。
【０００４】
従って、底に残った粉粒物をスプーン等で掬ったり容器をひっくり返したりしなくても、１乃至数回、底浚い溝を浚うだけで、残りの粉粒物を簡単に掬い出すことができる。
【先行技術文献】
【特許文献】
【０００５】
【特許文献１】特開２００２−２０９７７０号公報
【発明の概要】
【発明が解決しようとする課題】
【０００６】
本発明者は、前述した簡易式の穀類収納ケースについて更なる開発を進め、その結果、従来にない非常に実用的な穀類収納ケースを開発した。
【課題を解決するための手段】
【０００７】
添付図面を参照して本発明の要旨を説明する。
【０００８】
上面部に穀類投入部１Ａを有し且つ前面部に穀類取出部１Ｂを有する箱形ケース体１と、前記穀類投入部１Ａを閉塞する蓋体２とから成る穀類収納ケースであって、前記箱形ケース体１は、該箱形ケース体１内の上方所定位置に下方へ向けて設けられ前記箱形ケース体１内に下方で連通する前室４と後室５が形成されるように仕切る仕切り部３と、前記箱形ケース体１内の下方に設けられ前記穀類取出部１Ｂへ向けて下り傾斜する傾斜底板部６とを有して、前記穀類投入部１Ａから前記後室５へ投入された穀類Ｋが前記仕切り部３と前記傾斜底板部６を介して前記前室４へ誘導されて、この前室４の穀類Ｋを前記穀類取出部１Ｂから取り出し可能に構成されており、前記仕切り部３は、前記箱形ケース体１の左側壁１ａと右側壁１ｂとの間に着脱自在に架設される板状体で構成され、前記傾斜底板部６も、前記箱形ケース体１の前記左側壁部１ａと前記右側壁部１ｂとの間に着脱自在に架設される板状体で構成されるとともに、底壁１ｃと後壁１ｄとの間に傾斜状態に架設される構成とされ、前記傾斜底板部６の取付状態において、前記箱形ケース体１の内底後方部位には、左側壁１ａ，右側壁１ｂ，底壁１ｃ，後壁１ｄ及び傾斜底板部６で囲まれた収納空間Ｓが形成される構成とされており、前記仕切り部３及び前記傾斜底板部６を取り外すことで大収納容体となるように構成されていることを特徴とする穀類収納ケースに係るものである。
【０００９】
また、前記箱形ケース体１は、上面部に開口する穀類投入部１Ａを有し且つ該穀類投入部１Ａに連設され前面部に開口する穀類取出部１Ｂを有する構成であり、前記蓋体２は、前記穀類投入部１Ａを閉塞する上蓋部２Ａを有し且つ該上蓋部２Ａに回動自在に枢着連結され前記穀類取出部１Ｂを閉塞する前蓋部２Ｂとを有する構成であることを特徴とする請求項１記載の穀類収納ケースに係るものである。
【００１０】
また、前記仕切り部３は、前記箱形ケース体１内の上方所定位置に後方へ向けて下り傾斜状に設けられていることを特徴とする請求項１，２のいずれか１項に記載の穀類収納ケースに係るものである。
【００１１】
また、前記仕切り部３及び前記傾斜底板部６は取り外し状態において折り畳み自在に設けられていることを特徴とする請求項１〜３のいずれか１項に記載の穀類収納ケースに係るものである。
【発明の効果】
【００１２】
本発明は上述のように構成したから、収納した穀類を古い順で取り出すことができ、しかも、収納量を可変できて多様性に優れるなど、従来にない非常に実用的な穀類収納ケースとなる。
【図面の簡単な説明】
【００１３】
【図１】本実施例を示す斜視図である。
【図２】本実施例を示す分解斜視図である。
【図３】本実施例の要部の動作説明図である。
【図４】本実施例の要部の動作説明図である。
【図５】本実施例の使用状態説明図である。
【図６】本実施例の使用状態説明図である。
【図７】本実施例の要部の説明図である。
【発明を実施するための形態】
【００１４】
好適と考える本発明の実施形態（発明をどのように実施するか）を、図面に基づいて本発明の作用を示して簡単に説明する。
【００１５】
例えば穀類投入部１Ａから後室５へ穀類Ｋを投入すると、この穀類Ｋは仕切り部３と傾斜部６を介して前室４へ誘導される。この前室４の穀類Ｋを、穀類取出部１Ｂから取り出すことができる。
【００１６】
従って、箱形ケース体１内に収納された穀類Ｋを古い順で取り出すことができる。
【００１７】
ところで、本発明は、傾斜底板部６を設けたことにより、箱形ケース体１の内底後方部位には、左側壁部１ａ，右側壁部１ｂ，底壁部１ｃ，後壁部１ｄ及び傾斜部６で囲まれた収納空間Ｓが形成される構成とされている。
【００１８】
この構成から、傾斜部６の内底後方部位に形成される収納空間Ｓを、防虫剤を収納する部位として有効利用することができる。
【００１９】
また、本発明は、仕切り部３及び傾斜底板部６は、箱形ケース体１に着脱自在であり、よって、これら仕切り部３及び傾斜底板部６を取り外すことで大収納容体にできるなど、使い勝手に応じて収納容量を可変でき非常に便利となる。
【実施例】
【００２０】
本発明の具体的な実施例について図面に基づいて説明する。
【００２１】
本実施例は、上面部に穀類投入部１Ａを有し且つ前面部に穀類取出部１Ｂを有する箱形ケース体１と、穀類投入部１Ａを閉塞する蓋体２とから成る穀類収納ケースである。
【００２２】
以下、本実施例に係る構成各部について詳細な説明をする。
【００２３】
箱形ケース体１は、図１，２に図示したように適宜な合成樹脂製の部材で形成した箱状体であり、前壁部１ｅ、左側壁部１ａ，右側壁部１ｂ，底壁部１ｃ，後壁部１ｄとで構成され、複数ある場合に一の箱形ケース体１内に他の箱形ケース体１をネスティングし得るように構成されている。
【００２４】
また、箱形ケース体１は、上面部に開口する穀類投入部１Ａを有し且つ該穀類投入部１Ａに連設され前面部に開口する穀類取出部１Ｂを有する構成である。
【００２５】
また、箱形ケース体１は、図５に図示したように該箱形ケース体１内の上方所定位置に下方後方へ向けて傾斜状態に設けられ箱形ケース体１内に下方で連通する前室４と後室５が形成されるように仕切る仕切り部３と、箱形ケース体１内の下方に設けられ穀類取出部１Ｂへ向けて下り傾斜する傾斜底板部６とを有して、穀類投入部１Ａから後室５へ投入された穀類Ｋが仕切り部３と傾斜底板部６を介して前室４へ誘導されて、この前室４の穀類Ｋを穀類取出部１Ｂから取り出し可能に構成されている。
【００２６】
具体的には、箱形ケース体１の左側壁部１ａ，右側壁部１ｂ夫々の上方所定位置には、３つの貫通孔が設けられ、この各貫通孔は後述する仕切り部３の左右側縁部に設けられる３つの係止部７が着脱自在に係止する被係止部８として構成されている。
【００２７】
また、箱形ケース体１の左側壁部１ａ，右側壁部１ｂ夫々の下方所定位置には、１つの貫通孔が設けられ、この貫通孔は後述する傾斜底板部６の左右側縁部に設けられる係止部９が着脱自在に係止する被係止部10として構成されている。
【００２８】
また、箱形ケース体１の後壁部１ｄには、２つの貫通孔が設けられ、この貫通孔は後述する傾斜底板部６の後縁部に設けられる２つの係止部９が着脱自在に係止する被係止部10として構成されている。
【００２９】
仕切り部３は、図２，３に図示したように適宜な合成樹脂製の部材で形成された板状体であり、箱形ケース体１の左側壁部１ａ，右側壁部１ｂ同士間の巾を有する一対の板状半体３Ａ、３Ｂ同士を枢着して折り畳み自在に設けて構成されている。
【００３０】
また、仕切り部３は、箱形ケース体１の左側壁１ａと右側壁１ｂとの間に着脱自在に架設される。
【００３１】
即ち、仕切り部３は、左右側縁部の前後位置に及び中央位置に突片から成る係止部７が設けられ、前述した箱形ケース体１に設けられた被係止部８に着脱自在に係止するように構成されている。
【００３２】
従って、この仕切り部３の係止部７を箱形ケース体１の被係止部８に係止することで、仕切り部３は箱形ケース１内で下方後方に向けて下り傾斜状態に保持される。
【００３３】
傾斜底板部６は、図２，４に図示したように適宜な合成樹脂製の部材で形成された板状体であり、箱形ケース体１の左側壁部１ａ，右側壁部１ｂ同士間の巾を有する一対の板状半体６Ａ、６Ｂ同士を枢着して折り畳み自在に設けて構成されている。
【００３４】
また、傾斜底板部６は、前記箱形ケース体１の左側壁１ａと右側壁１ｂとの間に着脱自在に架設されるとともに、底壁１ｃと後壁１ｄとの間に傾斜状態に架設される構成とされている。
【００３５】
即ち、傾斜底板部６は、後縁部の左右位置に突片から成る係止部９が設けられており、前述した箱形ケース体１に設けられた被係止部10に着脱自在に係止するように構成され、更に、左右側縁部の中央位置に係止部９が設けられており、前述した箱形ケース体１の左側壁部１ａ，右側壁部１ｂに設けられた被係止部10に着脱自在に係止するように構成されている。
【００３６】
従って、この傾斜底板部６の係止部９を箱形ケース体１の被係止部10に係止することで、傾斜底板部６は箱形ケース１内に穀類取出部１Ｂへ向けて下り傾斜状態に保持される。
【００３７】
また、傾斜底板部６は、箱形ケース体１に対する取付状態において、箱形ケース体１の内底後方部位には、左側壁部１ａ，右側壁部１ｂ，底壁部１ｃ，後壁部１ｄ及び傾斜底板部６で囲まれた収納空間Ｓが形成されている。
【００３８】
この収納空間Ｓは、例えば防虫剤などを収納する空間として有効利用される。
【００３９】
蓋体２は、図１，５に図示したように適宜な合成樹脂製の部材で形成した板状体であり、穀類投入部１Ａを閉塞する上蓋部２Ａと穀類取出部１Ｂを閉塞する前蓋部２Ｂとを回動自在に枢着連結した構成としたものである。
【００４０】
従って、上蓋部２Ａで穀類投入部１Ａを閉塞した状態で、該上蓋部２Ａに対して前蓋部２Ｂを回動させることで穀類取出部１Ｂの閉塞状態と開放状態が得られ、この前蓋部２Ｂの開放状態において箱形ケース体１内に収納された穀類Ｋを取り出すことができる（図５参照）。尚、蓋体２にスライド式や擺動式など開閉扉付きの開口部を設けても良い。
【００４１】
また、本実施例は、前述した構成から、仕切り部３及び傾斜底板部６を取り外すことで大収納容体となる（図６参照）。
【００４２】
また、本実施例は、仕切り部３及び傾斜底板部６が箱形ケース体１に着脱自在に設けられるとともに、この箱形ケース体１から取り外せる仕切り部３及び傾斜底板部６は折り畳み自在に設けられているから、これら折り畳み状態の仕切り部３及び傾斜底板部６を箱形ケース体１内に収納（底壁部１ｃ上面に載置収納）することができ、この状態で例えば箱形ケース体１同士をネスティングすることができるなど、コンパクトな梱包形態が得られることになる（図７参照）。
【００４３】
符号11は移動用車輪である。
【００４４】
本実施例は上述のように構成したから、例えば穀類投入部１Ａから後室５へ穀類Ｋを投入すると、この穀類Ｋは仕切り部３と傾斜部６を介して前室４へ誘導される。この前室４の穀類Ｋを、穀類取出部１Ｂから取り出すことができる。
【００４５】
従って、箱形ケース体１内に収納された穀類Ｋを古い順で取り出すことができる。
【００４６】
また、本実施例は、傾斜底板部６を設けたことにより、箱形ケース体１の内底後方部位には、左側壁部１ａ，右側壁部１ｂ，底壁部１ｃ，後壁部１ｄ及び傾斜部６で囲まれた収納空間Ｓが形成される構成とされている。
【００４７】
この構成から、傾斜部６の内底後方部位に形成される収納空間Ｓを、防虫剤を収納する部位として有効利用することができる。
【００４８】
また、本実施例は、仕切り部３及び傾斜底板部６は、箱形ケース体１に着脱自在であり、よって、これら仕切り部３及び傾斜底板部６を取り外すことで大収納容体にできるなど、使い勝手に応じて収納容量を可変でき非常に便利となる。
【００４９】
また、本実施例は、箱形ケース体１は、上面部に開口する穀類投入部１Ａを有し且つ該穀類投入部１Ａに連設され前面部に開口する穀類取出部１Ｂを有する構成であり、蓋体２は、穀類投入部１Ａを閉塞する上蓋部２Ａを有し且つ該上蓋部２Ａに回動自在に枢着連結され穀類取出部１Ｂを閉塞する前蓋部２Ｂとを有する構成であるから、非常に使い勝手が良く、しかも、穀類Ｋの良好な保管状態が得られることになる。
【００５０】
また、本実施例は、仕切り部３は、箱形ケース体１内の上方所定位置に後方へ向けて下り傾斜状に設けられているから、穀類Ｋを良好に誘導することができ、しかも、穀類取出部１Ｂの奥行きスペースを確保することで穀類Ｋの取出しが良好に行えることになる。
【００５１】
また、本実施例は、仕切り部３及び傾斜底板部６は取り外し状態において折り畳み自在に設けられているから、例えば仕切り部３及び傾斜底板部６を使用しない際にはコンパクトな状態とすることができる。
【００５２】
尚、本発明は、実施例に限られるものではなく、各構成要件の具体的構成は適宜設計し得るものである。
【符号の説明】
【００５３】
Ｋ  穀類
Ｓ  収納空間
１  箱形ケース体
１Ａ  穀類投入部
１Ｂ  穀類取出部
１ａ  左側壁
１ｂ  右側壁
１ｃ  底壁
１ｄ  後壁
２  蓋体
２Ａ  上蓋部
２Ｂ  前蓋部
３  仕切り部
４  前室
５  後室
６  傾斜底板部
【図１】
2018061707.tif 000003
【図２】
2018061707.tif 000004
【図３】
2018061707.tif 000005
【図４】
2018061707.tif 000006
【図５】
2018061707.tif 000007
【図６】
2018061707.tif 000008
【図７】
2018061707.tif 000009